(57)【特許請求の範囲】
【請求項１】
複数の鎖樋素体を上下方向に配設した鎖樋において、鎖樋素体を軸体に対して回転自在に取付け、該軸体に対して回転自在に取付けた鎖樋素体が、上下に開口した筒体内に雨水の流水力を受けて当該鎖樋素体を回転させる回転作用部と、筒体の外周面に突設した羽根部に風力を受けて当該鎖樋素体を回転させる回転作用部を設けて構成してあることを特徴とする鎖樋。
【請求項２】
上下方向に長い線状材により軸体を構成し、線状材に鎖樋素体を上下方向に複数取付けると共に、複数の鎖樋素体の全部又は一部を線状材に対して回転自在として成ることを特徴とする請求項１記載の鎖樋。
【請求項３】
鎖樋素体を回転自在に取付けた軸体に繋ぎ部を設け、上下の鎖樋素体を繋ぎ部で繋ぐことを特徴とする請求項１記載の鎖樋。
【請求項４】
軸体に回転自在に取付けた鎖樋素体を、軸体に対して浮かせる手段を設けて成ることを特徴とする請求項１乃至請求項３のいずれかに記載の鎖樋。
【発明の詳細な説明】
【技術分野】
【０００１】
本発明は、複数の鎖樋素体を上下方向に配設し、軒樋から排水される雨水を鎖樋素体を伝って流下させるようにした鎖樋に関するものである。
【背景技術】
【０００２】
従来より、軒樋から排水される雨水を鎖樋素体を伝って流下させるようにした鎖樋が知られている。
【０００３】
従来の鎖樋としては、例えば輪状をした鎖樋素体を鎖状に繋いだものがある。この鎖状をした鎖樋は、輪状をした鎖樋素体を輪同士が上下にクロスするように通して上下に繋ぐことで構成してある。
【０００４】
また、鎖樋素体として筒体の上下に逆Ｕ字状をした上繋ぎ部とＵ字状をした下繋ぎ部とを突出し、上下の鎖樋素体をＵ字状をした下繋ぎ部と逆Ｕ字状をした上繋ぎ部とをクロスするように通して上下に繋ぐことで鎖樋を構成したものが特許文献１等により知られている。
【０００５】
一般の縦樋は、筒状をしていて雨水が流下するのが見えないようにしているが、上記した鎖樋は、軒樋から排水される雨水を鎖樋素体を伝って流下する様子を見せることで、筒状の縦樋にはない趣のあるものとすることができるという特徴を有している。
【０００６】
しかしながら、上記いずれの従来例の鎖樋も、雨水が単純に鎖樋素体を伝って流下する様子を見せるだけの機能しかなかった。このため、鎖樋としての「見せるという機能（鎖樋素体を伝って流下する様子を見せるという機能）」がマンネリ化しており、商品価値の高い鎖樋を提供できないのが現状であり、鎖樋のもつ「見せるという機能を」更に発展させる商品を開発することが強く望まれている。
【特許文献１】実開平５−７８２５号公報
【発明の開示】
【発明が解決しようとする課題】
【０００７】
本発明は上記の従来の問題点に鑑みて発明したものであって、鎖樋素体を雨水の流水力や風力により回転させる機能を備えることで、従来の鎖樋にはない新しい「見せる機能」を備えた鎖樋を提供することを課題とするものである。
【課題を解決するための手段】
【０００８】
上記課題を解決するために本発明に係る鎖樋は、複数の鎖樋素体１を上下方向に配設した鎖樋２である。そして、鎖樋素体１を軸体３に対して回転自在に取付け、該軸体３に対して回転自在に取付けた鎖樋素体１が、上下に開口した筒体７内に雨水の流水力を受けて当該鎖樋素体１を回転させる回転作用部４と、筒体７の外周面に突設した羽根部１３に風力を受けて当該鎖樋素体１を回転させる回転作用部４を設けて構成してあることを特徴とするものである。
【０００９】
このような構成とすることで、流下する雨水の流水力又は風力を回転作用部４で受けることで鎖樋素体１を回転させて自然力により「鎖樋素体１が回転する様子を見せる機能」を備えており、従来の鎖樋２では発揮できなかった新しい見せる機能を備えた鎖樋２を提供できる。しかも、鎖樋素体１を回転させるに当って、雨水の流下力又は風力という鎖樋素体１に作用する自然力を利用して回転させるものであるから鎖樋２の構成が簡略化できる。
また、風力、雨水の流水力により鎖樋素体１を回転させることができ、降水はないが風が吹いている時、風は吹いていないが降水時、降水時で且つ風が吹いている時のいずれの場合も鎖樋素体１を回転させることができる。
【００１０】
また、上下方向に長い線状材５により軸体３を構成し、線状材５に鎖樋素体１を上下方向に複数取付けると共に、複数の鎖樋素体１の全部又は一部を線状材５に対して回転自在とすることが好ましい。
【００１１】
このような構成とすることで、上下方向に長い線状材５により軸体３に複数の鎖樋素体１を取付けることで、簡単な構成で軸体３に対して回転作用部４を備えた鎖樋素体１を回転自在に取付けて鎖樋２を形成することができる。
【００１２】
また、鎖樋素体１を回転自在に取付けた軸体３に繋ぎ部６を設け、上下の鎖樋素体１を繋ぎ部６で繋ぐことが好ましい。
【００１３】
このように、軸体３に回転自在に取付けた鎖樋素体１同士を繋ぎ部６で繋ぐことで、鎖樋素体１の繋ぐ数を調整することで、回転自在な鎖樋素体１を備えた任意の長さの鎖樋２を簡単に形成することができる。
【００１８】
また、軸体３に回転自在に取付けた鎖樋素体１を、軸体３に対して浮かせる手段１９を設けることが好ましい。
【００１９】
このような構成とすることで、鎖樋素体１を軸体３に対して小さな力で回転することができ、雨水の流水量が少ない場合や、風力が小さい場合であってもスムーズに鎖樋素体１を回転することができる。
【発明の効果】
【００２０】
本発明は、上記のように鎖樋素体を軸体に対して回転自在に取付け、該軸体に対して回転自在に取付けた鎖樋素体に雨水の流水力又は風力を受けて当該鎖樋素体を回転させるための回転作用部を設けているので、雨水の流水力又は風力により鎖樋素体が回転する様子を見せるという機能を備えていることになり、簡単な構成で従来の鎖樋にはないまったく新しい「見せる機能」を備えた商品価値の高い鎖樋を提供できる。
【発明を実施するための最良の形態】
【００２１】
以下、本発明を添付図面に示す実施形態に基いて説明する。
【００２２】
本発明の鎖樋２は複数の鎖樋素体１を上下方向に隙間１６を介して配設したものであり、上端を軒樋に接続して軒樋から流下する雨水を鎖樋素体１を伝って次々と流下させるようにするためのものである。
【００２３】
本発明においては、鎖樋２を構成する全部の鎖樋素体１又は一部の鎖樋素体１が軸体３に対して回転自在となっている。
【００２４】
図１乃至図３には本発明を説明する参考例の形態が示してあり、本参考例の形態においては、ワイヤーや棒材のように上下方向に長い線状材５により軸体３を構成し、この線状材５に鎖樋素体１を上下方向に複数取付けてあり、複数の鎖樋素体１の全部又は一部が線状材５に対して回転自在に取付けてある。鎖樋素体１を線状材５よりなる軸体３に回転自在に取付けるには、例えば、鎖樋素体１の中心に中心軸部１０を設け、この中心軸部１０に上下に貫通する孔１１をあけ、該孔１１に線状材５を遊挿し、線状材５に設けた落下防止部１２に中心軸部１０の下端を載置することで、鎖樋素体１を線状材５に回転自在に取付ける。
【００２５】
軸体３（線状材５）に対して回転自在に取付けた鎖樋素体１には雨水の流水力又は風力を受けて当該鎖樋素体１を回転させるための回転作用部４が設けてある。
【００２６】
図１乃至図３に示す参考例の形態においては、筒体７内に螺旋状に回転羽根部１３を１乃至複数中心軸部１０周りに設けることで回転作用部４が構成してあり、回転羽根部１３の内周縁及び外周縁はそれぞれ中心軸部１０及び筒体７内面に当接又は固着又は一体化してある。
【００２７】
本参考例の形態は筒状をした鎖樋素体１の上開口１４から鎖樋素体１内に雨水が流入すると、雨水は中心軸部１０周りに形成した螺旋状をした回転羽根部１３の傾斜面に当って回転羽根部１３上を螺旋流となって流下するものであるが、この際、上開口１４から回転羽根部１３の傾斜面に図１の矢印イのように当ることで回転羽根部１３が軸体３である線状材５を中心に回転する力が作用し、また、螺旋状となった回転羽根部１３に沿って雨水が螺旋流となって鎖樋素体１内を流れることで、鎖樋素体１を更に回転する力が作用し、これにより鎖樋素体１が線状材５を中心に図１の矢印ロのように回転する。
【００２８】
このように鎖樋素体１を回転させながら自身も螺旋流となった雨水は筒体７の下開口１５から下方に螺旋流となって流下し、隙間１６を介して下に位置する別の鎖樋素体１の上開口１４内に流下する。
【００２９】
下に位置する別の鎖樋素体１の上開口１４から流下した雨水は上記と同様に螺旋状をした回転羽根部１３の傾斜面に当って回転羽根部１３上を螺旋流となって流下するものであり、これにより上記と同様にして下の鎖樋素体１が線状材５を中心に回転する。
【００３０】
同様にして次々と、下の鎖樋素体１が線状材５を中心にして回転することで、全ての鎖樋素体１を回転することができる。
【００３１】
この参考例の形態においては、上記のように雨水が流れると、雨水の流水力により鎖樋素体１が回転する様子が見え、また、上下の鎖樋素体１間の隙間１６においては雨水が螺旋流となって流れる様子が見える。これにより、従来の鎖樋素体１が回転せず、また、鎖樋素体１間の隙間１６においては雨水が真っ直ぐ流れる様子しか見えないものに比べて、従来の鎖樋２では現出できなかった、雨水の動き、鎖樋素体１の動きを現出できることになる。
【００３２】
もちろん、上記参考例では全部の鎖樋素体１を軸体３を構成する線状材５に対して回転できるようにした例で説明したが、一部の鎖樋素体１が回転作用部４を備えて軸体３に対して回転できるが、他の鎖樋素体１は回転作用部４を備えず且つ回転しないようにしたものであってもよく、この場合は、鎖樋２を構成する複数の鎖樋素体１のうち一部の鎖樋素体１が回転し、一部が鎖樋素体１が回転しない状態となり、回転する鎖樋素体１の下端から雨水が螺旋流で流下する様子が見え、回転しない鎖樋素体１の下端から雨水が下方に真っ直ぐ流下する様子が見え、回転する鎖樋素体１と回転しない鎖樋素体１とが上下方向に混在すると共に、螺旋流と、真っ直ぐな流れとが上下方向に混在し、変化に富んだ雨水の動き、鎖樋素体１の動、静の対比とが強調される鎖樋２を提供できる。
【００３３】
また、鎖樋素体１を流れる雨水の流量により鎖樋素体１の回転速度が変化する。このため、鎖樋２を流れる雨水の流量の変化に対応して鎖樋素体１の回転速度が変化することになり、この点でも、雨天時に時間の経過と共に雨量が変化することで、時間の経過と共に回転速度が変化していく趣のある鎖樋２とすることができる。
【００３４】
図１乃至図３に示す参考例の形態においては、複数の回転する鎖樋素体１が雨水の流水力により同じ方向に回転するようになっている。もちろん、これにのみ限定されず、図４、図５のように、回転する鎖樋素体１のうちいずれかが一方向に回転し、他の回転する鎖樋素体１が該一方向（矢印ロ方向）と逆方向（矢印ニ方向）に回転するようにしてもよい。この場合、使用する鎖樋素体１として、図３に示す鎖樋素体１と、図６に示す回転作用部４を構成する螺旋状をした回転羽根部１３の螺旋の巻き方向が逆になった鎖樋素体１とを併用して上下に配設する。
【００３５】
図６に示す鎖樋素体１は、上開口１４から回転羽根部１３の傾斜面に図１の矢印ハのように当ることで回転羽根部１３が軸体３である線状材５を中心に回転する力が作用し、また、螺旋状となった回転羽根部１３に沿って雨水が螺旋流となって鎖樋素体１内を流れることで、鎖樋素体１を更に回転する力が作用し、これにより鎖樋素体１が線状材５を中心に図４の矢印ニのように回転する。
【００３６】
図４、図５に示す参考例の形態では雨水の流水力により一方向に回転する鎖樋素体１と、逆方向に回転する鎖樋素体１とを上下に交互に配置した例を示しているが、必ずしもこれにのみ限定されず、一方向に回転する鎖樋素体１と、逆方向に回転する鎖樋素体１とを上下方向に配置する形態は任意に選択することができる。
【００３７】
また、雨水の流水力により回転する複数の鎖樋素体１のうち、一部の鎖樋素体１が他の鎖樋素体１よりも回転速度が遅くなるようにしてもよい。
【００３８】
この場合、例えば、図７、図８のように回転作用部４を構成する螺旋状をした回転羽根部１３の傾斜角度を変えることで、傾斜角度の緩いものは流水力の作用による回転速度が速く、傾斜角度の急なものは流水力の作用による回転速度が遅くなり、これにより速く回転する鎖樋素体１と、遅く回転する鎖樋素体１とが上下方向に混在し、よりいっそう変化に富んだ動きをする鎖樋２とすることができる。
【００３９】
また、図７、図８に示す参考例の形態では、流水力によって回転する複数の鎖樋素体１を用いて鎖樋２を構成するに当って、回転方向が異なる鎖樋素体１と、回転速度が異なる鎖樋素体１とを組み合わせた例で示したが、回転方向が同じ方向であるが回転速度の異なる複数の鎖樋素体１の上下方向に混在させて鎖樋２を形成してもよい。
【００４０】
また、上記例においては、ワイヤーや棒材のように上下方向に長い線状材５により軸体３を構成し、この線状材５に鎖樋素体１を上下方向に複数取付けた例を示したが、図９乃至図１１に示すように、鎖樋素体１を回転自在に取付けた軸体３に繋ぎ部６を設け、上下の鎖樋素体１を繋ぎ部６で繋ぐことで、上下方向に複数の鎖樋素体１を配設した鎖樋２を構成するようにしてもよい。図９乃至図１１の参考例の形態では、上端部又は下端部のいずれかに上又は下の繋ぎ部６を設けた軸体３を中心軸部１０の孔１１に遊挿し、軸体３の下端又は上端に下又は上の繋ぎ部６を取付ける。下の繋ぎ部６の上部には中心軸部１０の下端部の下端が落下するための落下防止部１２が設けてある。そして、上の鎖樋素体１の軸体３の下端部に設けた下の繋ぎ部６に、下の鎖樋素体１の軸体３の上端部に設けた上の繋ぎ部６を連結して繋ぐことで上下に複数の鎖樋素体１を配設した鎖樋２を構成することができる。
【００４１】
また、上記例では雨水の流水力で鎖樋素体１が回転する例を示したが、風力により鎖樋素体１が回転するようにしてもよい。
【００４２】
図１２にはその参考例の形態が示してあり、鎖樋素体１の筒体７の外周面に回転羽根部１３を突設して回転作用部４を構成した例である。つまり、風が吹いて軸体３に対して回転自在に取付けた鎖樋素体１の外周部の回転羽根部１３に風が当ると、鎖樋素体１が回転するようになっている。この形態においては、雨が降っている時、雨が降っていない時のいずれの場合であっても、風が吹いていれば、鎖樋素体１が回転をする。
【００４３】
したがって、雨が降っている時に、風が吹かないと従来の鎖樋２と同様に鎖樋素体１は回転せず、風が吹くと従来の鎖樋２とは異なって鎖樋素体１が回転するというように、変化に富んだ動きをする鎖樋２を提供することができる。
【００４４】
この風力で回転する場合も、図示を省略しているが、回転羽根部１３の形状を選択することで、回転方向が一方向、反対方向のいずれのものも形成でき、また、回転速度の異なるものを形成できる。
【００４５】
また、図１３には鎖樋素体１の筒体７の外周面に回転羽根部１３を突設して風により鎖樋素体１を回転させる回転作用部４を形成すると共に、筒体７内に前述の実施形態のように螺旋状をした回転羽根部１３を設けて雨水の流水力により鎖樋素体１を回転させる回転作用部４を形成した例である。
【００４６】
この実施形態においては、風力、雨水の流水力により鎖樋素体１を回転させることができ、降水はないが風が吹いている時、風は吹いていないが降水時、降水時で且つ風が吹いている時のいずれの場合も鎖樋素体１を回転させることができる。
【００４７】
そして、これら各種の形態の鎖樋素体１を上下方向に適宜組み合わせて、前述の各形態と同様に、同一方向に回転させる鎖樋素体１を上下方向に配設して鎖樋２を形成したり、回転方向が異なる鎖樋素体１を上下方向に混在させて鎖樋２を形成したり、回転速度が異なる鎖樋素体１を上下方向に混在させて鎖樋２を形成したり、回転方向、回転速度が異なる鎖樋素体１を上下方向に混在させて鎖樋２を形成したりしてもよい。
【００５１】
上記いずれの形態においても、軸体３に回転自在に取付けた雨水の流水力又は風力により回転する鎖樋素体１に、当該鎖樋素体１が雨水の流水力又は風力により回転する際に、当該鎖樋素体１の回転の視認を強調させるための回転視認強調手段８を設けてもよい。
【００５２】
例えば、鎖樋素体１の外周面の周方向の一部を他の部分と色あるいは形状を異ならせて該色あるいは形状を違わせることで回転視認強調手段８を構成する。この形態では鎖樋素体１が回転すると外周面の周方向の一部の色あるいは形状の異なる部分である回転視認強調手段８が軸体３を中心に公転するように視認できて、鎖樋素体１の回転がより強調して視認できることになる。図１２、１３の形態では外部に露出する回転作用部４が回転視認強調手段８を兼用している。
【００５３】
また、図示を省略しているが、筒体７の外周面部の周方向の一部を透明、他の部分を不透明とすることで回転視認強調手段８を構成してもよい。この場合は、鎖樋素体１が回転することで、筒体７の透明の部分が軸体３を中心に公転するように視認できて、透明の部分から筒体７内が間欠的に視認されることで、鎖樋素体１の回転がより強調して視認できることになる。この場合は、筒体７内の回転作用部４及び螺旋流が間欠的に見えることになる。
【００５４】
また、図示を省略しているが、筒体７の全部透明とするか又は周方向にわたる透明部を設けて回転視認強調手段８を構成して、内部の回転作用部４の回転及び螺旋流が見えるようにしてもよい。この場合、回転作用部４を不透明とすることで、透明な筒体７を介して内部の回転作用部４の回転がよく視認できる。
【００５５】
図１５には本発明を説明する他の参考例の形態が示してあり、本形態においては軸体３に回転自在に取付けた鎖樋素体１を、軸体３に対して浮かせる手段１９を設けたものである。浮かせる手段１９としては、軸体３に回転自在に遊挿した鎖樋素体１の下端部とこれに対向する軸体３の部位にそれぞれ対向する部分が同極となった永久磁石２０を設けることで鎖樋素体１を軸体３に対して浮かせる手段１９を構成したものであり、同極となった永久磁石２０の反発力で鎖樋素体１が軸体３に対して浮いた状態になっている。このように鎖樋素体１を軸体３に対して浮いた状態で回転自在とすることで、流水力が小さい場合や風力が小さい場合であっても、軽く鎖樋素体１を回転させることができる。
【図面の簡単な説明】
【００５６】
【図１】本発明を説明する参考例の一形態の鎖樋の正面図である。
【図２】同上の断面図である。
【図３】同上に用いる鎖樋素体を示し、（ａ）は平面図であり、（ｂ）は斜視図であり、（ｃ）は一部破断した斜視図である。
【図４】本発明を説明する参考例の他の形態の鎖樋の正面図である。
【図５】同上の断面図である。
【図６】同上に用いる鎖樋素体の他の例を示し、（ａ）は平面図であり、（ｂ）は斜視図であり、（ｃ）は一部破断した斜視図である。
【図７】本発明を説明する参考例の更に他の形態の鎖樋の正面図である。
【図８】同上の断面図である。
【図９】本発明を説明する参考例の更に他の形態の鎖樋の正面図である
【図１０】同上の断面図である。
【図１１】同上に用いる鎖樋素体を示し、（ａ）は斜視図であり、（ｂ）は分解斜視図である。
【図１２】本発明を説明する参考例の鎖樋素体の他の形態を示し、（ａ）は斜視図であり、（ｂ）は平面図である。
【図１３】本発明に用いる鎖樋素体の実施形態を示し、（ａ）は斜視図であり、（ｂ）は平面図である。
【図１４】本発明を説明する参考例の鎖樋素体に回転視認強調手段を設けた一例を示す斜視図である。
【図１５】本発明を説明する参考例の鎖樋素体を浮かせる例を示す断面図である。
【符号の説明】
【００５７】
１  鎖樋素体
２  鎖樋
３  軸体
４  回転作用部
５  線状材
６  繋ぎ部
７  筒体
【図１】
0004466747.tif 000002
【図２】
0004466747.tif 000003
【図３】
0004466747.tif 000004
【図４】
0004466747.tif 000005
【図５】
0004466747.tif 000006
【図６】
0004466747.tif 000007
【図７】
0004466747.tif 000008
【図８】
0004466747.tif 000009
【図９】
0004466747.tif 000010
【図１０】
0004466747.tif 000011
【図１１】
0004466747.tif 000012
【図１２】
0004466747.tif 000013
【図１３】
0004466747.tif 000014
【図１４】
0004466747.tif 000015
【図１５】
0004466747.tif 000016